(57)【特許請求の範囲】
【請求項１】
パチンコ機から排出されたアウト球を受け入れる受皿ボックスと、受け入れたアウト球を整流する樋ボックスからなるアウト球タンク装置において、
設置島に固定されるベースには、左右方向にガイドする樋ガイドと、所定の間隔で複数の樋ロック部とを設け、また前記樋ボックスには、該樋ガイドを挟持してスライドする樋挟持片を設けるとともに前記樋ロック部のいずれかに係合する樋挟持部とを設けて該ベースにスライド可能に取付けられ、
また、前記受皿ボックスが該樋ボックスのスライドする方向と直交する方向へスライド可能に該樋ボックス上に取付けられることを特徴とするパチンコ機のアウト球タンク装置。
【請求項２】
パチンコ機から排出されたアウト球を受け入れる受皿ボックスと、受け入れたアウト球を整流する樋ボックスからなるアウト球タンク装置において、
設置島に固定されるベースに前記樋ボックスをスライド可能に取付け、
また、前記樋ボックスには、前後方向にガイドする受皿ガイドと、所定の間隔で複数の受皿ロック部とを設け、また、前記受皿ボックスには、該受皿ガイドを挟持してスライドする受皿挟持片が設けられるとともに前記受皿ロック部に係合する受皿挟持部が設けられていることを特徴とするパチンコ機。
【発明の詳細な説明】
【０００１】
【発明の属する技術分野】
この発明は、パチンコ機から排出されたアウト球を設置島内部に設けた回収樋に回収するアウト球タンク装置に関する。
【０００２】
【従来の技術】
パチンコ機では、パチンコ機盤面を転動したアウト球は、盤面下部に設けられたアウト口から機裏へ排出される。このアウト球は、設置島内部に設けた回収樋を流れて回収される。この際、アウト球は、機裏の排出口から設置島に取付けたアウト球タンク装置に受け入れられ、カウンタに導いてアウト球を計数した上で、回収樋に流下するようにされている。このため、アウト球タンク装置には、パチンコ機の機裏から排出されるアウト球を受け入れる受皿と、アウト球をカウンタに誘導する誘導樋が設けられている。
【０００３】
ここで、パチンコ機の機裏に設けられた排出口の位置は、機種ごとに相違しているので、アウト球タンク装置の受皿の取付位置は、アウト球を確実に受け入れるように調整できることが要求されている。
【０００４】
アウト球タンク装置の発明としては、従来技術１として、特開平３ー１９１９７２号公報に開示されたものがある。この従来技術１の発明では、受皿と誘導樋を一体に形成したタンクから構成し、このタンクの底面に前後方向の長孔が設けられていて、この長孔を介して、締めねじによって前後方向の取付位置を調整して取付ベースに固定されている。そして、設置島に固定したベースと取付ベースの間を左右方向にスライド可能に取付け、固定金具によってこの両者間を固定している。
【０００５】
また、従来技術２として、特開平５ー１３７８３９号公報に開示されたものがある。この従来技術２の発明では、受皿と誘導樋を一体に形成したタンクから構成し、このタンクの底面に下方に突出する嵌合突起を設けている。一方、設置島に固定したベースに嵌合突起を嵌入する嵌合孔を複数個を列設し、これらのいずれかの嵌合孔に嵌合突起を嵌め入れて、タンクの取付位置を左右の方向に調整できるようにしている。
【０００６】
【発明が解決しようとする課題】
しかし、これらの従来技術１および従来技術２のいずれも、受皿と誘導樋とを一体化したタンクとし、このタンクを設置島に固定したベースとの間で移動するようにしている。このため従来技術１では、前後方向に調整する際には、タンクの底面に設けた長孔に固定した締めねじを緩めた上で行なう必要があった。
また、従来技術２では、係合突起を嵌入する嵌合孔を選択して左右方向を調整することができるが、前後方向には調整することができなかった。
【０００７】
そこで、本発明では、受皿と誘導樋を別体により構成することによって、左右のみならず、前後方向にも容易に調整してアウト球を確実に受け入れるようにできるアウト球タンク装置とすることを目的としている。
【０００８】
【課題を解決するための手段】
請求項１の発明では、設置島に固定されるベースには、左右方向にガイドする樋ガイドと、所定の間隔で複数の樋ロック部とを設け、また樋ボックスには、樋ガイドを挟持してスライドする樋挟持片を設けるとともに樋ロック部のいずれかに係合する樋挟持部とを設けてベースにスライド可能に取付けられ、また、受皿ボックスが樋ボックスのスライドする方向と直交する方向へスライド可能に樋ボックス上に取付けられている。
この構成により、以下の作用を奏する。
【０００９】
設置島の所定の部位にベースを固定し、ベースに樋ボックスを取付ける。樋ボックスは、樋挟持片が樋ガイドを挟持してスライドでき、樋ガイドに設けた樋ロック部に樋挟持片の樋挟持部が係合して位置が固定される。また、樋ボックスに受皿ボックスを取付ける。
【００１０】
そして、パチンコ機の機裏に設けられたアウト球排出口の位置に対応して、樋ボックスを例えば左右方向にスライドすれば左右位置の調整がなされる。また、受皿ボックスを樋ボックスがスライドする方向と直交する方向となる前後方向にスライドすれば、前後位置の調整がなされる。これにより、受皿ボックスを前後左右に位置調整することができ、アウト球排出口の位置を相違するパチンコ機に替えられても、容易に対応することができる。
【００１１】
請求項２の発明では、設置島に固定されるベースに前記樋ボックスをスライド可能に取付け、また、樋ボックスには、前後方向にガイドする受皿ガイドと、所定の間隔で複数の受皿ロック部とを設け、また、受皿ボックスには、受皿ガイドを挟持してスライドする受皿挟持片が設けられるとともに受皿ロック部に係合する受皿挟持部が設けられている。
【００１２】
これにより、受皿ボックスは、受皿挟持片が受皿ガイドを挟持してスライドでき、受皿ガイドに設けた受皿ロック部に受皿挟持片の受皿挟持部が係合して位置が固定される。
【００１３】
【発明の効果】
請求項１の発明では、設置島に固定されるベースには、左右方向にガイドする樋ガイドと、所定の間隔で複数の樋ロック部とを設け、また樋ボックスには、樋ガイドを挟持してスライドする樋挟持片を設けるとともに樋ロック部のいずれかに係合する樋挟持部とを設けてベースにスライド可能に取付けられ、また、受皿ボックスが樋ボックスのスライドする方向と直交する方向へスライド可能に樋ボックス上に取付けられている。
【００１４】
この構成により、受皿ボックスの取付位置を前後左右に容易に調整して固定することができ、パチンコ機のアウト球排出口の位置を相違するパチンコ機に台替えがなされても容易に対応することができる効果を奏する。
【００１５】
請求項２の発明では、設置島に固定されるベースに前記樋ボックスをスライド可能に取付け、また、樋ボックスには、前後方向にガイドする受皿ガイドと、所定の間隔で複数の受皿ロック部とを設け、また、受皿ボックスには、受皿ガイドを挟持してスライドする受皿挟持片が設けられるとともに受皿ロック部に係合する受皿挟持部が設けられている。
【００１６】
この構成により、受皿ボックスを所定の位置に容易にスライドして固定することができ、パチンコ機のアウト球排出口の位置を相違するパチンコ機に台替えがなされても容易に対応することができる効果を奏する。
【００１７】
【発明の実施の形態】
以下、図面を参照しながら、一実施の形態を詳細に説明する。
図１は、パチンコ機１を設置する設置島２の概略を示す右半部の断面図であって、島台２ａには、取付枠２ｂにパチンコ機１が取付け固定され、この下部にはアウト球ａを排出する排出口１ａが設けられている。また、島台２ａの背面には、アウト球ａを回収する回収樋２ｃが設けられて、列設された各パチンコ機１から排出されるアウト球ａが図示しない回収部へ集められるようにされている。また、排出口１ａの位置に対応して、島台２ａにアウト球タンク装置３が取付ねじにより取付け固定されている。
【００１８】
このアウト球タンク装置３は、図２に示すように、島台２ａに固定されるベース１０と、このベース１０上に取り外し可能に取付けられる樋ボックス２０と、この樋ボックス２０上にやはり取り外し可能に取付けられる受皿ボックス３０の三つの部材により構成されている。そして、樋ボックス２０には、アウト球ａを計数するカウンタ４０が取付けられている。
【００１９】
ベース１０は、その全体形状を矩形の板状とされ、島台２ａに取付ねじにより固定するための取付孔１１が中央の２カ所に、また、左右両端部に３個づつの取付孔１２がそれぞれ設けられて、島台２ａにしっかりと固定できるようにされている。また、ベース１０の両側には、樋ボックス２０を取付ける樋取付雌部１３、１３が設けられている。左右の樋取付雌部１３、１３は同一構成とされていて、図３、４に示すように、底板１４と、前後両端の逆Ｌ字状のベース枠１５が設けられている。底板１４の中央には、樋ガイド１６が立設され、この樋ガイド１６には、一定の間隔で円柱状の５本の樋ロック部１６ａが膨出して形成されている。また、樋ガイド１６の前後には、こぼれ球の樋取付雌部１３内への落込みを防止する球止め片１７が立設されている。
【００２０】
樋ボックス２０は、図２において、前後左右の枠２１ａ、２１ｂ、２１ｃ、２１ｄに囲まれた略箱形とされている。そして、後述する受皿ボックス３０の皿板３２に積層して取付けられ、皿板３２を補強する上面板２２が後部右側の略半分を占めて設けられている。また、左側後部には、受皿ボックス３０から流下するアウト球ａを受け入れる受け凹部２２ａが形成されているとともに、この受け凹部２２ａに流下したアウト球ａをカウンタ４０に導く流下樋部２２ｂが前端の左側から右端まで連続して設けられている。そして、流下樋部２２ｂの終端は、カウンタ４０の球通過筒４２に連続している（図７参照）。また、流下樋部２２ｂの途中には、球ならし板２３がその一側を取付軸２３ａに回動可能に取付けられていて、アウト球ａが整列してカウンタ４０に流入するするようにされている。なお、前枠２１ａを透明板により形成すれば、アウト球ａが流下樋部２２ｂ内で球詰まりを生じた場合に、外部から容易に確認することができる。
【００２１】
また、図３、図４に示すように、左右枠２１ｃ、２１ｄの外側中央には、樋取付雌部１３、１３に嵌合する樋取付雄部２４、２４が下方に向けて設けられている。樋取付雄部２４には、２枚の樋係合片２５が下方に突出して形成され、この樋係合片２５の先端にベース枠１５に係合する樋係合部２５ａが設けられている。また、樋係合片２５の間には、２枚の樋挟持片２６、２６が設けられ、この樋挟持片２６に樋ガイド１６の樋ロック部１６ａを挟持して位置決めする樋挟持部２６ａが設けられている。これにより、樋取付雌部１３のベース枠１５に樋係合片２５の樋係合部２５ａが係合して、樋ボックス２０が左右（図４において紙面に対して直交方向）に移動可能に抜け止めされる。また、樋ガイド１６に設けた５本の樋ロック部１６ａに、両側の樋挟持片２６、２６の樋挟持部２６ａ，２６ａが嵌合し、いずれかの樋ロック部１６ａを挟持してこの位置にロックされる。このようにして、樋ボックス２０は、ベース１０に取付けられ、樋ロック部１６ａとのロックを解除する力を加えることによって、左右にスライドさせることができる。
【００２２】
また、図２において、樋ボックス２０の左右枠２１ｃ、２１ｄの外側には、受皿ボックス３０を連結する受皿連結雌部２７と受皿取付雌部２８が前記樋取付雄部２４の前後に設けられている。この後側に設けられた受皿連結雌部２７には、前述した樋取付雌部１３とその構造が大略同じとされていて、外側に逆Ｌ字状の受皿係合枠２７ａが設けられるとともに中央の受皿ガイド２７ｂに一定の間隔を置いて円柱状の４本の受皿ロック部２７ｃが設けられている。
なお、受皿取付雌部２８は、外側に逆Ｌ字状の受皿取付枠２８ａが設けられているが、受皿連結雌部２７と相違して受皿ロック部２７ｃのようなロック部が設けられていない。
【００２３】
受皿ボックス３０は、図２において、前後左右の各受皿枠３１ａ、３１ｂ、３１ｃ、３１ｄに囲まれた有底箱形とされ、皿板３２の左前側のコーナー部にアウト球ａを流下する流下孔３３が設けられている。そして、皿板３２は、表面にゴムからなるクッション材によって被覆されていて、落下してくるアウト球ａの衝撃を和らげるとともに、その落下音を吸収するようにされている。そして、皿板３２の表面は、アウト球ａが流下孔３３へ流れるように緩やかに傾斜している。
【００２４】
受皿左右枠３１ｃ、３１ｄの下部には、受皿連結雌部２７、受皿取付雌部２８にそれぞれ係合する受皿係合片３４、受皿取付片３８が下方に向けて設けられている。図５、６に示すように、受皿係合片３４の先端には、受皿係合枠２７ａに係合する受皿係合部３４ａが突出して設けられている。また、受皿係合片３４に平行に２枚の受皿挟持片３５が設けられ、この受皿挟持片３５に受皿ロック部２７ｃを挟持して位置決めする受皿挟持部３５ａが設けられている。
【００２５】
これにより、図６に示すように、受皿連結雌部２７の受皿係合枠２７ａに受皿係合片３４の受皿係合部３４ａが係合して、受皿ボックス３０が前後方向（図６において紙面に対して直交方向）にスライド可能に抜け止めされる。また、４本の受皿ロック部２７ｃに、受皿挟持部３５ａが嵌合し、各受皿ロック部２７ｃの位置で係止されて、受皿ボックス３０が樋ボックス２０にロックされる。なお、受皿係合枠２７ａに係合する受皿係合片３４は、片側にだけに設けられていて、他側に突設した間隔保持片３６には、係合する突起が設けられていない。従って受皿係合片３４を押して撓ませれば、容易にこの係合を解除して、受皿ボックス３０を取り外すことができるようにされている。
【００２６】
また、図２に示すように、受皿取付片３８が下方に突出して形成され、この先端に受皿取付枠２８ａに係合する係合突起３８ａが設けられている。またこの受皿取付片３８に並列して間隔保持片３９が受皿ボックス３０が前後に移動可能に抜け止めされる。
このように、受皿ボックス３０は、その左右に設けた受皿係合片３４、受皿取付片３８がそれぞれ樋ボックス２０に前後移動可能に連結され、また、受皿係合片３４および受皿取付片３８を撓ませて受皿係合枠２７ａおよび受皿取付枠２８ａからその係合を解除して容易に分離できるようにされている。
【００２７】
カウンタ４０の上部は、樋ボックス２０の前面に取付軸４１により前後に揺動可能に取付けられている。このカウンタ４０には、図７に示すように、アウト球ａが流下する球通過筒４２が、流下樋部２２ｂの終端に連続して開口して配置されている。これにより、流下樋部２２ｂを流下してきたアウト球ａは球通過筒４２内を通過し、さらに設置島２の回収樋２ｃ内に落下していく。
この球通過筒４２の途中には、一つのアウト球ａが嵌合する凹部を複数個設けた図示しないスプロケットの先端が臨ませてある。そして通過するアウト球ａの数に対応してスプロケットが回転して、この回転した数を検出し、計数して、この情報が監視所に伝達されるようにされている。
【００２８】
なお、カウンタ４０は取付軸４１に揺動可能に取付けられているために、仮にベース１０が図１に示す島台２ａの位置よりもさらに右側に取付けられたときでも、カウンタ４０が島台２ａの側壁に当接して揺動するために取付ることができる。これによって、ベース１０を島台２ａに取付する際には、その前後方向の位置を正確に合わせる必要が無いために、容易に取付けてもよい。
【００２９】
次に本実施例の作用について説明すると、設置島２の島台２ａの所定の固定位置に、ベース１０を中央の２カ所の取付孔１１と左右両端部の３個づつの取付孔１２に図示しない取付ねじを螺着して固定する。
樋ボックス２０の樋取付雄部２４、２４を固定されたベース１０の両側に設けた樋取付雌部１３、１３に押し込める。これにより、樋取付雄部２４のベース枠１５に樋係合片２５の樋係合部２５ａが係合して取付けられる。
【００３０】
また、樋ボックス２０の受皿連結雌部２７と受皿取付雌部２８に、受皿ボックス３０の受皿係合片３４と受皿取付片３８を差し込めば、受皿係合枠２７ａ、受皿取付枠２８ａに受皿係合部３４ａ、係合突起３８ａがそれぞれ係合して、簡単に取付けることができる。なお、予め受皿ボックス３０を樋ボックス２０に取付けて一体化しておき、その後にベース１０に取付けることもできる。
【００３１】
このようにして受皿ボックス３０は樋ボックス２０とともにベース１０に取付けられる。そして、パチンコ機１の下部に形成されたアウト球ａの排出口１ａの位置に対応していない場合や、パチンコ機の入れ替えがなされた場合には、図７、図８に２点鎖線によって示すように、樋ボックス２０または受皿ボックス３０をスライドさせ、受皿ボックス３０の取付位置を調整する。左右方向の調整をするには、樋ボックス２０を左右に移動させる。この際、ベース１０に設けられている樋取付雌部１３の樋ガイド１６に沿って、樋ボックス２０の樋挟持片２６がスライドし、５本の樋ロック部１６ａのいずれかに樋挟持部２６ａが嵌合して、樋ロック部１６ａのいずれかの位置で係止される。このようにして、樋ボックス２０は、ベース１０に対して左右に移動して固定される。
【００３２】
また、前後方向の調整をするには、樋ボックス２０に対して受皿ボックス３０を前後に移動させる。この際、樋ボックス２０に設けられている受皿連結雌部２７の受皿ガイド２７ｂに沿って、受皿ボックス３０の受皿挟持片３５がスライドし、４本の受皿ロック部２７ｃのいずれかに受皿挟持部３５ａが嵌合して、受皿ロック部２７ｃのいずれかの位置にロックされる。このようにして、受皿ボックス３０は、樋ボックス２０に対して前後に移動して固定される。
以上のように、受皿ボックス３０の位置をスライドするという簡単な操作によって前後左右に調整することができる。
【００３３】
このようにして、アウト球タンク装置３の位置調整がなされた受皿ボックス３０によって、排出口１ａから排出されたアウト球ａは、図７に示すように、皿板３２に受け止められ、流下孔３３から流下樋部２２ｂ内を流下して、カウンタ４０の球通過筒４２内を流下していく。
【００３４】
また、ベース１０から樋ボックス２０や受皿ボックス３０を容易に取外すことができて、容易に清掃することができる。特に、受皿ボックス３０は、樋ボックス２０の受皿係合枠２７ａに受皿係合片３４が係合して取付けられるために、受皿係合片３４を押圧して撓ませれば、受皿係合枠２７ａとの係合を容易に解除することができ、受皿ボックス３０の着脱可能を容易に行なうことができる。このため、アウト球ａによって汚れやすい皿板３２を清掃する際に、受皿ボックス３０を取り外して、容易に且つ十分に清掃することができる。
【００３５】
なお、上述した実施例においては、樋ボックス２０が左右方向にスライドし、受皿ボックス３０が前後方向にスライドする例を示したが、樋ボックス２０と受皿ボックス３０は互いに直交する方向へスライドすればよく、樋ボックス２０を前後方向にスライドする構成とすることもできる。
【図面の簡単な説明】
【図１】取付島の一部の概略断面図
【図２】分離斜視図
【図３】樋取付雌部と樋取付雄部の分離斜視図
【図４】ベースと樋ボックスの連結状態を示す一部の断面図
【図５】受皿取付雌部と受皿取付雄部の分離斜視図
【図６】樋ボックスと受皿ボックスの連結状態を示す一部の断面図
【図７】正面図
【図８】側面図
【符号の説明】
１０…ベース  １６…樋ガイド  １６ａ…樋ロック部  ２０…樋ボックス  ２２ｂ…樋部  ２５…樋係合片  ２５ａ…樋係合部  ２６…樋挟持片  ２６ａ…樋挟持部  ２７ｂ…受皿ガイド  ２７ｃ…受皿ロック部  ３０…受皿ボックス  ３４…受皿係合片  ３５…受皿挟持片  ３５ａ…受皿挟持部
【図１】
0004270592.tif 000002
【図８】
0004270592.tif 000003
【図２】
0004270592.tif 000004
【図３】
0004270592.tif 000005
【図４】
0004270592.tif 000006
【図５】
0004270592.tif 000007
【図６】
0004270592.tif 000008
【図７】
0004270592.tif 000009